【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
椎骨と係合する上面及び、円形の凹部を有する下面を有している上部と、
椎骨と係合する下面及び、一対の対向した側壁及び該側壁間に上面の一方の端部に沿った開口部を備えた前記上面を有している下部と、
挿入部とを備え、
前記挿入部は、前記開口部に入り前記対向した側壁と係合するような形状の底部と、該底部より水平方向においてより小さい領域であるとともに前記上部の凹部と嵌合する凸状頂部へ前記底部から上方に突出している、高くなった部分とを有している椎間インプラント。
【請求項２】
前記開口部を端部上に含んでいる、前記上部及び下部内の少なくとも一方は、隣接した椎骨間の空間内へ前記上部及び下部を挿入するための器具と係合する係合手段を有している請求項１に記載の椎間インプラント。
【請求項３】
前記上部は、前記凹部を含んだ下向きの突出部を有し、
前記突出部は、前記底部の対向した側壁間において前記挿入部が無い状態で入れ子状に重ねることができ、その結果、前記挿入部なしで入れ子状に重ねた状態の前記上部及び下部の全体の高さは、別々にした前記上部及び下部を足した全体の高さよりも低くなる請求項２に記載の椎間インプラント。
【請求項４】
前記係合手段には、両方の前記上部及び下部上の器具受け入れ孔が含まれ、
入れ子状態において、一方の部分の前記孔は、他方の部分の前記孔に垂直方向に部分的に重なる請求項３に記載の椎間インプラント。
【請求項５】
前記凹部及び前記凸状頂部は、球状である請求項４に記載の椎間インプラント。
【請求項６】
前記下部には、２つの対向した前記側壁と、前記開口部と対向した端部に配置された端壁とを含めた３つの壁を有する概ね平らな面が含まれている請求項１に記載の椎間インプラント。
【請求項７】
前記挿入部を前記下部内へスナップ嵌合させるための手段が、前記下部と一体的に含まれている請求項６に記載の椎間インプラント。
【請求項８】
前記係合手段は、前記対向側壁に配置され、前記開口部が位置する前記端部に向かって開いている孔を含む請求項６に記載の椎間インプラント。
【請求項９】
前記上部及び下部が、平面図において概ね長方形である請求項１に記載の椎間インプラント。
【請求項１０】
椎間インプラントであって、該椎間インプラントは、
椎骨と係合する上面及び、下方向に延びる突出部内に形成された湾曲した挿入部受入れ底面を有する上部と、
椎骨と係合する下面及び、凹所として形成された概ね平らな挿入部受入れ上面を有する下部と、
前記上部及び下部の相対的な動きを可能とし、かつ、前記上部の湾曲した底面と前記下部の概ね平らな上面との間に配置されるとともにそれらに係合する、前記湾曲した上面を有する挿入部と、
を備え、
前記下部内の前記凹所は、高くなり対向した側壁により画定されており、かつ、前記対向した側壁間の一方の端部に沿った開口部を含み、前記挿入部は、前記開口部を介して横方向に前記下部の上面上に挿入可能であり、
前記上部及び下部の少なくとも１つは、前記開口部が位置する端部に、隣接した椎骨間の空間内に前記上部及び下部を挿入するための器具を係合するための係合手段を有している、椎間インプラント。
【請求項１１】
前記係合手段には、器具受け入れ孔が含まれる請求項１０に記載の椎間インプラント。
【請求項１２】
前記上部は、前記湾曲した挿入部受け入れ底面を含む下向き突出部を有し、
前記突出部は、前記挿入部がない状態で前記底部の対向側壁間において入れ子状に重ねることができ、その結果、挿入部がない入れ子状態の前記上部及び下部の全体の高さは、別々にした前記上部及び下部の全体の高さを足した高さより低くなる請求項１１に記載の椎間インプラント。
【請求項１３】
前記上部及び下部の両方に器具受入れ孔を含み、
前記入れ子状態では、前記上部又は下部の一方の前記器具受入れ孔が、他方の器具受け入れ孔の上に垂直方向に部分的に重なる請求項１２に記載の椎間インプラント。
【請求項１４】
前記挿入部は、概ね長方形であって、前記下部の前記対向側壁間に形成された空間を実質的に埋めるような下部を含んでいる請求項１１に記載の椎間インプラント。
【請求項１５】
前記挿入部は、高くなった突出部を有しており、
前記挿入部の湾曲上面は、前記突出部の頂部に形成され球状であり、
前記上部の湾曲挿入部受け取り底面は、凹状かつ球状である請求項１４に記載の椎間インプラント。
【請求項１６】
椎間インプラントであって、該椎間インプラントは、
椎骨と係合する上面を有し、かつ、挿入部の頂部を受け入れるように適合され下方向に延びる突出部を有した下面を有する上部と、
椎骨と係合する下面を有するとともに、凹所として形成されかつ、挿入部の底部を受け入れるように適合された上面を有する下部と、
を備え、
前記上部の突出部は、前記上部及び下部を椎間空間内に最初に挿入するために前記下部の凹所内に入れ子状に重ねることができる椎間インプラント。
【請求項１７】
前記上部及び下部を隣接する椎骨間の空間内に挿入するための器具と係合する係合手段が、前記上部及び下部の少なくとも一方に含まれている請求項１６に記載の椎間インプラント。
【請求項１８】
前記下部の凹所は、２つの対向側壁、接続端壁及び該接続端壁と対向した端部に沿った開口部を含んでおり、
前記係合手段は、前記上部及び下部の開口部の位置する側の端部内に孔を備えている請求項１７に記載の椎間インプラント。
【請求項１９】
前記挿入部がない入れ子状態の前記上部及び下部の高さは、別々にした前記上部及び下部を足した全体の高さより低い請求項１８に記載の椎間インプラント。
【請求項２０】
前記下部の凹所内において係合可能な挿入部を含んでおり、
前記挿入部は、凸部を有する頂部を備え、
前記上部の下面は、前記挿入部の頂部と嵌合するような形状の凹部を有している請求項１６に記載の椎間インプラント。
【請求項２１】
前記挿入部の凸状頂部及び前記上部の凹部は、球状である請求項２０に記載の椎間インプラント。
【請求項２２】
椎骨と係合する上面を有するとともに、下方向に延びる突出部内に形成された挿入部受け入れ底面を有する上部と、
椎骨と係合する下面と、凹所を形成する対向側壁を備えた挿入部受け入れ上面を有する下部と、
隣接する椎骨間の空間内に前記上部及び下部を挿入するための器具を受け入れるための、少なくとも前記上部の突出部内及び前記下部の対向側壁内に形成された係合孔と、
を備え、
前記上部及び下部が入れ子状態になると、前記上部及び下部の係合孔は、垂直方向に部分的に重なる椎間インプラント。
【請求項２３】
入れ子状態の前記上部及び下部の高さは、別々となった前記上部及び下部の高さを足した高さより低い請求項２２に記載の椎間インプラント。
【請求項２４】
前記下部の凹所内において係合可能であるとともに、下方向に延びる前記上部の突出部底面内の凹部と係合可能な凸部を有した頂部を備える挿入部を含んでいる請求項２２に記載の椎間インプラント。
【請求項２５】
前記凸部及び凹部は球状である請求項２４に記載の椎間インプラント。
【請求項２６】
椎骨と係合する上面及び、挿入部と係合する湾曲した下面を有する概ね長方形の上部と、
椎骨と係合する下面及び、前記挿入部と係合する概ね平らな上面を有する概ね長方形の下部とを備え、
前記下部の上面は、２つの対向した側壁及び１つの端壁により画定された凹所を有するとともに、前記端壁と対向した端部に開口部を含み、
前記挿入部は、湾曲した上面を有し、前記開口部から前記凹所内へ水平方向に挿入されて、前記上部の湾曲した下面と係合可能である椎間インプラント。
【請求項２７】
前記挿入部は、
少なくとも前記対向した側壁により固定可能な概ね長方形の底部と、
前記底部から上方向に突出しているとともに前記底部より水平方向について小さい面積である頂部と、
を備えている請求項２６に記載の椎間インプラント。
【請求項２８】
前記頂部の頂面は、凸状であるとともに、前記上部の下面は、凹状でありかつ前記挿入部の頂部の湾曲部分と嵌合するような形状である請求項２７に記載の椎間インプラント。
【請求項２９】
前記挿入部の頂部及び前記上部の凸部は、球状である請求項２８に記載の椎間インプラント。
【請求項３０】
前記上部または下部の少なくとも１つの中の、前記開口部が配置されている側に、隣接する椎骨間の空間内へ前記上部及び下部を挿入する器具を係合させるための係合手段を含んでいる請求項２９に記載の椎間インプラント。
【請求項３１】
前記下部上の定位置内へ前記挿入部をスナップ嵌めする手段を含んでいる請求項２６に記載の椎間インプラント。
【請求項３２】
椎骨と係合する上面及び、挿入部と係合する下面を有する上部と、
椎骨と係合する下面及び、前記挿入部を固定する上面を有する下部と、
前記上部及び下部の間に位置する挿入部と
を備え、
前記上部及び下部の少なくとも一方は、２つの隣接した椎骨間の椎間空間内に前記上部及び下部をともに挿入するための器具と係合する係合手段を有し、
前記各上部及び下部は、前記インプラントが前記椎間空間内へ挿入されるように案内をするリード端部及び該リード端部に対向した後端部と、２つの横側部とを有し、
前記横側部により画定された平行線間の空間内にのみ挿入器具が配置され得るように、前記係合手段は、少なくとも前記上部及び下部の一方の後端部上にのみ配置され、
前記下部が、前記上部及び下部の間の空間に向かって前記挿入部が挿入動作可能な作業領域内に開口を有していることを特徴とする椎間インプラント。
【請求項３３】
前記係合手段には、前記上部及び下部の少なくとも一方の後端部内に孔を含んでいる請求項３２に記載の椎間インプラント。
【請求項３４】
前記上部及び下部の両方内に前記孔が含まれる請求項３３に記載の椎間インプラント。
【請求項３５】
前記上部及び下部が、平面図で概ね長方形であるような請求項３２に記載の椎間インプラント。
【請求項３６】
椎骨と係合する上面及び、挿入部と係合する下面を有する上部と、
椎骨と係合する下面及び、前記挿入部を固定する上面を有する下部とを備え、
各前記上部及び下部は、インプラントが椎間空間内へ挿入される際に案内をするリード端部及び該リード端部に対向した後端部を有し、かつ、２つの横側部を含み、
前記上部の上面及び前記下部の下面の各々に設けられた単一の固定部を備え、
前記各固定部は、前記横側部間の中間線に沿うように配置されているとともに、前記面が係合する椎骨内に切り込まれた溝内へ前記上部及び下部を固定する程度の高さであり、前記固定部は、その頂面上に、各溝から外れないための歯を有している椎間インプラント。
【請求項３７】
椎間インプラントであって、該椎間インプラントは、
椎骨と係合する上面及び、湾曲した挿入部受け入れ底面を有する上部と、
椎骨と係合する下面及び、前記挿入部受け入れ上面を有する下部と、
前記上部の湾曲した底面と前記下部の挿入部受け入れ上面との間に配置されてそれらと係合し、前記上部及び下部の相対的な動きを可能とする、湾曲した上面を有した挿入部と、
を備え、
前記下部の挿入部受け入れ上面は、高くなり対向した側壁により画定され、前記対向側壁間の一方の端部に沿うように開口部を含んでおり、前記挿入部は、前記開口部を通じて横方向に前記下部の上面上へ挿入可能であり、
前記挿入部受け入れ上面は、前記対向側壁に概ね垂直な前記挿入部受け入れ上面に渡り延びるエッジを有する戻り止め凹所を含み、前記挿入部は、前記戻り止め凹所のエッジに平行で前記挿入部に渡り延びる下方向突出部を有し、該下方向突出部は、前記戻り止め凹所内において弾力的に係合可能である椎間インプラント。
【請求項３８】
椎間空間に挿入可能な椎間インプラントであって、
椎骨と係合する上面及び球状部を含む下面を有する上部と、
椎骨と係合するための下面及び前記上部の球状部に係合する上面を有する下部と、
前記上部の上面と、前記下部の下面の両方に向けて、前記インプラントの椎間空間に対する挿入方向に延びる突出部とを備えており、
前記突出部が、前記上面及び下面に載る椎骨内部において、前記上部及び下部を固定するように作用することを特徴とする椎間インプラント。
【請求項３９】
前記上部の球状部分は凹状であり、前記下部の上面部分は凸状である請求項３８に記載の椎間インプラント。
【請求項４０】
前記下部は、前記下面を有する下方部分と、前記上面部分を有する上方部分とを含む２つの部分に形成される請求項３９に記載の椎間インプラント。
【請求項４１】
少なくとも１つの突出部の高さは、各上部または下部の残りの部分の高さより高い請求項３８に記載の椎間インプラント。
【請求項４２】
双方の突出部は、各上部または下部の残りの部分より高い請求項４１に記載の椎間インプラント。
【請求項４３】
中心線に沿った方向における少なくとも１つの突出部の長さは、各部の前方から後方までの全寸法の半分よりも長い請求項３８に記載の椎間インプラント。
【請求項４４】
中心線に沿った方向における双方の突出部の長さは、各上部または下部の前方から後方までの全寸法の半分よりも長い請求項４３に記載の椎間インプラント。
【請求項４５】
前記下部の上面部分は、球形である請求項３８に記載の椎間インプラント。
【請求項４６】
前記上部及び下部は、平面図において、概ね長方形である請求項３８に記載の椎間インプラント。
【請求項４７】
前記突出部は、前記上部及び下部の概ね長方形の短い方の側部に実質的に平行である請求項４６に記載の椎間インプラント。
【請求項４８】
挿入器具受け入れ用に前記上部及び下部の後端部内に孔を含んだ請求項３８に記載の椎間インプラント。